(57)【特許請求の範囲】
【請求項１】
潜熱を回収する潜熱熱交換器を備えるガス燃焼式の熱源機に設けられるドレン排水装置であって、
潜熱熱交換器で発生したドレンを貯留するドレンタンクと、該ドレンタンクの水位を検出する水位検出手段と、ドレンタンク内のドレンを所定の排水部に向かって導出するドレン排水管と、ドレン排水管に介装されてドレンを強制的に排出させる排水ポンプと、前記水位検出手段による検出水位に応じて排水ポンプを作動させる排水制御手段とを備えるものにおいて、
前記排水制御手段は、排水ポンプの出力可変領域における複数段の出力を選択的に用いて排水ポンプを作動させるポンプ制御手段と、排水ポンプの各段の出力毎に対応して定められた第１基準時間と該第１基準時間より短い第２基準時間とを示すデータテーブルを記憶した記憶手段と、排水ポンプの作動によるドレンの排水所要時間が現時点での排水ポンプの出力に対応する前記データテーブルの第１基準時間以上の場合は排水ポンプの出力を増加させ、ドレンの排水所要時間が現時点での排水ポンプの出力に対応する前記データテーブルの第２基準時間以下の場合は排水ポンプの出力を減少させるポンプ出力変更手段とを備えることを特徴とするドレン排水装置。
【請求項２】
前記ドレンタンクに給水する給水管を設け、
前記排水制御手段は、前記給水管からドレンタンクへの給水により前記排水ポンプを作動させて前記ドレン排水管の洗浄を行う洗浄制御手段を備えることを特徴とする請求項１記載のドレン排水装置。
【発明の詳細な説明】
【技術分野】
【０００１】
本発明は、潜熱熱交換器を備えるガス燃焼式の熱源機に設けられて潜熱熱交換器で発生したドレンを強制的に排出するドレン排水装置に関する。
【背景技術】
【０００２】
従来、潜熱を回収する潜熱熱交換器を備えるガス燃焼式の熱源機においては、潜熱熱交換器で発生するドレンを中和器により中和した後にドレンタンクに貯留し、ドレンタンク内のドレンが高水位となったことを検出してドレンタンクのドレンを排水ポンプにより強制的に排出させるドレン排水装置を設けることが行われている（下記特許文献１参照）。
【０００３】
また、この種の熱源機を用いた風呂追焚き装置にドレン排水装置が設けられる場合には、浴槽の湯を加熱循環させるための往き管と戻り管とが浴槽に接続されることにより、ドレンタンク内のドレンを排出するドレン排水管を戻り管に沿わせて配管し、浴室内の浴槽の下方に設けられた排水部にドレンを流すことが行われる（下記特許文献２参照）。
【０００４】
更に、下記特許文献２のものでは、ドレン排水管の屈曲回数やドレンタンクと排水部との高低差によるドレンの流動抵抗を考慮して、ドレンタンクからの排水速度に応じて排水ポンプの出力を増減させる制御が行われている。なお、このものでは、ドレンの排水速度を、ドレンタンクのドレンを排水する時間に基づいて判断している。
【先行技術文献】
【特許文献】
【０００５】
【特許文献１】特開２００８−３０９４６９号公報
【特許文献２】特開２００７−２７８６８４号公報
【発明の概要】
【発明が解決しようとする課題】
【０００６】
そころで、近年では、ドレン排水管の配管を簡素化するために、ドレン排水管を戻り管の内部に挿通させ、浴槽近傍で戻り管から外部に露出させて浴室内の排水部に延出させることが行われるが、この場合には、通常の太さのドレン排水管よりも細く内径の極めて小さいドレン排水管が用いられる。
【０００７】
しかし、上記従来のものは、通常の太さ（例えば内径が７mm程度）のドレン排水管に対して好適な排水ポンプの制御を行うものである。このため、通常よりも細い（例えば内径が２mm程度の）ドレン排水管が採用されている場合には、細いドレン排水管におけるドレンの流動抵抗が、通常の内径のドレン排水管に詰まりが生じたときのドレンの流動抵抗と同等になることがあり、ドレン排水管に詰まりが生じたものと判断されるおそれがある。
【０００８】
また、細いドレン排水管に対して好適となるように排水ポンプの制御を行うと、通常の太さ或いはそれよりも更に太いドレン排水管が用いられていた場合には、その流動抵抗が細いドレン排水管での正常な流動抵抗を下回るまで詰まりを検出することができず、詰まり検出に遅れが生じるおそれがある。
【０００９】
上記の点に鑑み、本発明は、ドレン排水管の内径の大小に応じて最適な出力で排水ポンプを作動させることができ、ドレンタンク内のドレンを確実に排出することができるドレン排水装置を提供することを目的とする。
【課題を解決するための手段】
【００１０】
本発明は、潜熱を回収する潜熱熱交換器を備えるガス燃焼式の熱源機に設けられるドレン排水装置であって、潜熱熱交換器で発生したドレンを貯留するドレンタンクと、該ドレンタンクの水位を検出する水位検出手段と、ドレンタンク内のドレンを所定の排水部に向かって導出するドレン排水管と、ドレン排水管に介装されてドレンを強制的に排出させる排水ポンプと、前記水位検出手段による検出水位に応じて排水ポンプを作動させる排水制御手段とを備えるものにおいて、前記排水制御手段は、排水ポンプの出力可変領域における複数段の出力を選択的に用いて排水ポンプを作動させるポンプ制御手段と、排水ポンプの各段の出力毎に対応して定められた第１基準時間と該第１基準時間より短い第２基準時間とを示すデータテーブルを記憶した記憶手段と、排水ポンプの作動によるドレンの排水所要時間が現時点での排水ポンプの出力に対応する前記データテーブルの第１基準時間以上の場合は排水ポンプの出力を増加させ、ドレンの排水所要時間が現時点での排水ポンプの出力に対応する前記データテーブルの第２基準時間以下の場合は排水ポンプの出力を減少させるポンプ出力変更手段とを備えることを特徴とする。
【００１１】
本発明によれば、前記水位検出手段の検出水位に応じて前記排水制御手段がポンプ制御手段により排水ポンプを作動させるとき、前記ポンプ出力変更手段によりドレンの排水所要時間に応じて排水ポンプの出力を増減させる。
【００１２】
このとき、前記ポンプ出力変更手段は、ドレンの排水所要時間が現時点での排水ポンプの出力に対応する前記データテーブルの前記第１基準時間以上の場合は排水ポンプの出力を増加させる。また、ドレンの排水所要時間が現時点での排水ポンプの出力に対応する前記データテーブルの第２基準時間以下の場合は排水ポンプの出力を減少させる。
【００１３】
そして、このように作動するポンプ出力変更手段を設けたことにより、排水ポンプの出力が変更された後にも、前記データテーブルを参照して、変更後の出力に対応する第１基準時間及び第２基準時間への変更が自動的に行われる。即ち、排水ポンプの出力を変更したときに同時に基準時間も変更され、例えば、通常の内径のドレン排水管が用いられている場合と、内径の極めて小さいドレン排水管が用いられている場合とで、夫々異なる最適の出力で排水ポンプを作動させることができる。
【００１４】
従って、ドレン排水管の内径によらず、ドレン排水管の詰まりの誤判定が防止できると共にドレン排水管の詰まりを確実に検出でき、ドレン排水管の内径の大小に応じて最適な出力で排水ポンプを作動させることができる。
【００１５】
また、本発明においては、前記ドレンタンクに給水する給水管を設け、前記排水制御手段は、前記給水管からドレンタンクへの給水により前記排水ポンプを作動させて前記ドレン排水管の洗浄を行う洗浄制御手段を備えることが好ましい。
【００１６】
例えば、内径の極めて小さいドレン排水管が用いられている場合には、ドレン排水管の詰まりが生じやすくなるが、洗浄制御手段を設けたことにより、給水管からドレンタンクに給水してドレンタンクの洗浄を行ってドレン排水管の詰まり発生を防止することができ、排水ポンプの制御の精度低下を確実に防止することができる。
【図面の簡単な説明】
【００１７】
【図１】本発明の実施装置を示す概略構成図。
【図２】排水制御手段の機能的構成を示すブロック図。
【図３】記憶手段に記憶されているデータを示す図。
【図４】本実施形態のドレン排水装置の作動を示すフローチャート。
【図５】図４に続く作動を示すフローチャート。
【発明を実施するための形態】
【００１８】
本発明の一実施形態を図面に基づいて説明する。図１はガス燃焼式の熱源機を用いた風呂追焚き装置であり、図１に示すように、本体１の内部に、熱源機を構成するガスバーナ２と、該ガスバーナ２により加熱される顕熱熱交換器３と、該顕熱熱交換器３を通過した燃焼排気の潜熱を回収する潜熱熱交換器４とを備えている。
【００１９】
潜熱熱交換器４と顕熱熱交換器３とは互いに直列に接続されて熱媒循環路５を形成しており、熱媒循環路５に介装された熱媒循環ポンプ６により熱媒循環路５の熱媒が強制的に循環されるようになっている。
【００２０】
また、本体１の内部には、熱媒循環路５を一次側として浴槽７の湯を加熱する追焚き用の液液熱交換器８が設けられている。液液熱交換器８の二次側には浴槽７から延びる風呂往き管９と風呂戻り管１０とが接続されている。風呂戻り管１０には風呂循環ポンプ１１が介装されており、風呂循環ポンプ１１により液液熱交換器８と浴槽７との間で湯が強制的に循環されるようになっている。
【００２１】
また、本体１の内部には、潜熱熱交換器４で生成されたドレンを受けるドレン受け１２が設けられており、更に、ドレン受け１２によって受けたドレンを排出するドレン排水装置Ａが設けられている。ドレン排水装置Ａは、ドレン受け１２から導出されたドレンを中和する中和器１３と、中和器１３で中和されたドレンを貯留するドレンタンク１４と、ドレンタンク１４のドレンを浴槽７下の排水部１５に導出するドレン排水管１６とを備えている。ドレン排水管１６には、ドレンを強制的に排出する排水ポンプ１７が設けられている。また、ドレン排水管１６は、排水ポンプ１７の下流に逆流防止用の逆止弁１８を介して接続されたドレン導出管１９を備えている。ドレン導出管１９は、比較的細い（本実施形態では内径が約２mmの）合成樹脂製チューブが用いられ、図１に示すように、風呂戻り管１０の内部に挿通されている。
【００２２】
また、ドレンタンク１４には、ドレンの最大貯留水位を検知する高水位センサ２０と、最小貯留水位を検知する低水位センサ２１とが設けられている。高水位センサ２０及び低水位センサ２１は、本発明の水位検出手段である。更に、ドレンタンク１４には、上水道等の水源から延びる給水管２２が接続されている。給水管２２には電磁弁による給水弁２３が介装されており、給水弁２３の開閉（ＯＮ／ＯＦＦ）によりドレンタンク１４への給水が制御される。
【００２３】
高水位センサ２０と低水位センサ２１とは、夫々の検知信号（ＯＮ／ＯＦＦ信号）を後述の排水制御手段２４に出力する。排水制御手段２４は、高水位センサ２０や低水位センサ２１からの検知信号に基づいて前記排水ポンプ１７の作動を制御する。排水制御手段２４は、図２に示すように、排水ポンプを後述の出力指示値に基づいて作動させるポンプ制御部２５（ポンプ制御手段）と、該ポンプ制御部２５における出力指示値を増減させるポンプ出力変更部２６（ポンプ出力変更手段）とを機能的に備えている。また、ポンプ出力変更部２６は、出力指示値の変更に応じて後述の基準時間の変更を行う基準時間変更部２７（基準時間変更手段）を機能的に備えている。更に、排水制御手段２４は、排水ポンプ１７の出力を制御するための複数の出力指示値と各出力指示値に対応する２つの基準時間（第１基準時間t_upと第２基準時間t_down）とをデータテーブル（図３参照）として記憶する記憶部２８（記憶手段）を機能的に備えている。また、排水制御手段２４は、給水弁２３を制御してドレン排水管１６の洗浄を行う洗浄制御部２９（洗浄制御手段）を備えている。なお、排水制御手段２４は、ガスバーナ２の燃焼制御を含む風呂の追焚き制御を行うコントローラの一部として設けられている。
【００２４】
本実施形態による風呂の追焚き運転においては、ガスバーナ２を燃焼させると共に熱媒循環路５の熱媒循環ポンプ６を作動させ、更に、風呂循環路の風呂循環ポンプ１１を作動させることにより、浴槽７の追焚きが行われる。これにより、ガスバーナ２からの燃焼排気によって潜熱熱交換器４と顕熱熱交換器３とを通る熱媒循環路５内の熱媒体が加熱される。
【００２５】
このとき、潜熱熱交換器４で生成されたドレンは、ドレン受け１２から中和器１３に流入して中和された後、ドレンタンク１４に貯留される。そして、ガスバーナ２の燃焼継続に伴ってドレンタンク１４内のドレンは次第に増加する。
【００２６】
ここで、ドレン排水装置Ａの制御について、図４及び図５のフローチャートに沿って説明する。ドレン排水装置Ａの制御は、排水ポンプ１７の出力を、主にドレン導出管１９におけるドレンの流動抵抗に合致したものとするために行われる。
【００２７】
即ち、十分に太く流動抵抗が比較的小さいドレン導出管１９に合わせて排水ポンプ１７を低レベルの出力で制御すると、実際のドレン排水経路に極めて細いドレン導出管１９が用いられていた場合には、ドレンの流動抵抗が大きいためにドレンタンク１４からの排水速度（排水が完了するまでの時間）が比較的遅くなる。このため、ドレン導出管１９に詰まりが生じていると誤判断されるおそれがある。それとは逆に、極めて細く流動抵抗が大きいドレン導出管１９に合わせて排水ポンプ１７を低レベルの出力で制御すると、実際のドレン排水経路に太いドレン導出管１９が用いられていた場合には、ドレンの流動抵抗が小さいドレンタンク１４からの排水速度（排水が完了するまでの時間）が比較的早くなる。このため、太いドレン導出管１９に詰まりが発生しても、その詰まりが大きく進行して細いドレン導出管１９が詰まった状態と同等の排水速度になるまでは詰まりが判断できず、ドレン導出管１９の詰まり検出が遅れるおそれがある。そこで、排水ポンプ１７の出力を、ドレン導出管１９におけるドレンの流動抵抗に合致させる制御を行うことで、ドレン導出管１９における詰まり発生の誤判断や詰まり検出の遅れが防止できる。
【００２８】
図４を参照して、先ず、追焚き運転が開始され、ＳＴＥＰ１で高水位センサ２０によりドレンタンク１４内のドレンが最大貯留水位となったことが検出される（高水位センサ２０がＯＮとなる）とＳＴＥＰ２へ進む。ＳＴＥＰ２では、低水位センサ２１がＯＮとなっていれば、高水位センサ２０及び低水位センサ２１が正常であると判断し、ＳＴＥＰ３へ進んでポンプ制御部２５が排水ポンプ１７を作動させる。これにより、ドレンタンク１４に貯留されたドレンの排水が開始される。
【００２９】
なお、正常であれば、高水位センサ２０がＯＮのときは低水位センサ２１もＯＮとなるが、ＳＴＥＰ２で低水位センサ２１がＯＦＦで合った場合には、ＳＴＥＰ１６へ進んで異常停止となり、使用者への警告等が行われる。
【００３０】
ＳＴＥＰ３で排水ポンプ１７が作動すると、ドレンタンク１４に貯留されたドレンが逆止弁１８を経由して、ドレン導出管１９の下流端から浴槽７下方の排水部１５に排水され始め、これにより、ドレンタンク１４内のドレンの水位が次第に低下する。このとき、ポンプ制御部２５は、排水ポンプ１７の出力を出力指示値（％）に基づいて制御する。出力指示値は、排水ポンプ１７の出力の可変領域において、複数段に設定可能とするものである。本実施形態においては、図３に示す複数の出力指示値（３５％〜１００％の可変領域において５％刻みで複数段とされる）が記憶部２８にデータテーブルとして記憶されており、これらの出力指示値によって排水ポンプ１７を所望の出力に制御する。なお、初回の運転では、予め設定された出力指示値が用いられ、本実施形態では出力指示値を８０％として排水ポンプ１７を制御する。これにより、排水ポンプ１７は最大出力の８０％の出力（能力）で作動する。
【００３１】
そして、ＳＴＥＰ４では、低水位センサ２１が水位検知しなくなったか否かを、第１基準時間として設定されているt_up秒間監視する。第１基準時間t_up（秒）は、図３に示すように、記憶部２８により各出力指示値毎に記憶されている。具体的には、出力指示値８０％で排水ポンプ１７を制御しているとき、図３に示す記憶部２８のデータテーブルが参照されて６００秒間低水位センサ２１の水位検知が監視される。そして、t_up秒（６００秒）以内に低水位センサ２１がＯＦＦになった場合には、ドレンタンク１４内のドレン排水が完了したとしてＳＴＥＰ５で排水ポンプ１７を停止させ、ＳＴＥＰ６へ進む。
【００３２】
ＳＴＥＰ６では、ＳＴＥＰ４において低水位センサ２１がＯＦＦになった時間を参照し、低水位センサ２１がＯＦＦになったのが第２基準時間として設定されているt_down秒以内であればＳＴＥＰ７へ進み、そうでなければ、図５におけるＳＴＥＰ１７へ進む。ＳＴＥＰ１７以降の処理については後述する。
【００３３】
第２基準時間t_down（秒）は、図３に示すように、記憶部２８により各出力指示値毎に記憶されている。具体的には、ＳＴＥＰ６では、出力指示値８０％で排水ポンプ１７を制御しているとき、図３に示す記憶部２８のデータテーブルが参照されて、ＳＴＥＰ４において低水位センサ２１がＯＦＦになった時間が３６０秒以内であるかが確認される。
【００３４】
即ち、ＳＴＥＰ６において低水位センサ２１がＯＦＦになった時間が３６０秒以上経過していた場合には、現在の排水ポンプ１７の出力がドレン導出管１９におけるドレンの流動抵抗（ドレン導出管１９の太さ）に合致していると推定できる。ＳＴＥＰ６において低水位センサ２１がＯＦＦになった時間が３６０秒以内であることが確認された場合には、ドレンタンク１４からのドレン排水が極めて迅速に行われたと推定でき、ドレン導出管１９の内径が大きいために、排水ポンプ１７の出力が十分であるか或いは過剰であると考えられる。そこで、ＳＴＥＰ７へ進んで出力指示値が最小（３５％）であるか否かが判断され、出力指示値が最小でなければ、ＳＴＥＰ８においてポンプ出力変更部２６により出力指示値が１段下げられる。これにより、出力指示値は８０％から７５％に引き下げられ、排水ポンプ１７は最大出力の７５％の出力（能力）で作動して、排水ポンプ１７の運転騒音が抑えられる。なお、ＳＴＥＰ７において出力指示値が最小（３５％）であった場合には、排水ポンプ１７の出力をこれ以上減少させることはできないために最小の出力指示値のまま制御され、図５におけるＳＴＥＰ１７へ進む。
【００３５】
また、ＳＴＥＰ４で、第１基準時間t_up秒（６００秒）経過しても低水位センサ２１がＯＦＦにならない場合には、ドレン導出管１９の内径に対して排水ポンプ１７の出力が不十分である（即ち、ドレン導出管１９が細い）と考えられる。そこで、ＳＴＥＰ９へ進んで排水ポンプ１７のエア噛みを防止するために排水ポンプ１７を一旦停止させてＳＴＥＰ１０へ進む。ＳＴＥＰ１０で出力指示値が最大（１００％）でなければ、ＳＴＥＰ１１においてポンプ出力変更部２６により出力指示値が１段上げられ、ＳＴＥＰ３へ戻る。これにより、出力指示値は８０％から８５％に引き上げられ、排水ポンプ１７は最大出力の８５％の出力（能力）で作動する。
【００３６】
そして、ＳＴＥＰ１１を経た後のＳＴＥＰ４で用いる第１基準時間t_up（秒）及びＳＴＥＰ６で用いる第２基準時間t_down（秒）は、ＳＴＥＰ１１で増加させた出力指示値に応じて、図３に示す記憶部２８のデータテーブルに従って基準時間変更部２７により変更される。即ち、図３に示すように、出力指示値が６５％から７０％に引き上げられた場合には、第１基準時間t_upは１８０秒から６００秒に変更され、出力指示値が７０％から７５％に引き上げられた場合には、第２基準時間t_downは基準時間変更部２７により１２０秒から３６０秒に変更される。こうすることにより、出力指示値に対応する第１基準時間t_upや第２基準時間t_downを用いてドレン導出管１９の太さが判断されるので、ドレン導出管１９の太さと排水ポンプ１７の出力とを極めて精度よく合致させることができる。
【００３７】
なお、ＳＴＥＰ１０において出力指示値が最大（１００％）であった場合には、排水ポンプ１７の出力をこれ以上増加させることはできないために、ＳＴＥＰ１２へ進んで、最大の出力指示値で排水ポンプ１７を作動させる。次いで、ＳＴＥＰ１３で再度ＳＴＥＰ４と同じ判断が行われ、t_up秒（６００秒）以内に低水位センサ２１がＯＦＦになった場合には、ドレンタンク１４内のドレン排水が完了したとしてＳＴＥＰ１４で排水ポンプ１７を停止させ、図４のＳＴＥＰ１７へ進む。
【００３８】
また、t_up秒以内に低水位センサ２１がＯＦＦにならない場合には、ドレン導出管１９に詰まりや導通異常が生じていると考えられ、ＳＴＥＰ１５で排水ポンプ１７を停止させ、ＳＴＥＰ１６を経て使用者への警告等が行われる。
【００３９】
次に、図５のＡ−Ｃ間（ＳＴＥＰ１７〜ＳＴＥＰ２６）の処理について説明する。Ａ−Ｃ間の処理は、洗浄制御部２９によるドレン排水管１６の自動洗浄に関する動作である。即ち、先ず、ＳＴＥＰ１７で処理回数のカウントを行う。Ｗは変数であり、１回通過毎に変数Ｗに１が加算される。なお、変数Ｗは初回運転時には０とされている。
【００４０】
ＳＴＥＰ１８では、変数Ｗに基づいて、ドレンの強制排水が行われた回数でドレン排水管１６の洗浄が必要であるか否かを判断する。即ち、ＳＴＥＰ１８において変数Ｗが３以上であれば、ＳＴＥＰ１７の通過が３回以上であることによりドレンの強制排水が３回以上行われたとしてＳＴＥＰ１９へ進む。変数Ｗが３未満であれば、ＳＴＥＰ１７の通過が２回以下であることによりドレンの強制排水が３回行われていないとして図４のＳＴＥＰ１へ戻る。なお、本実施形態においてはＳＴＥＰ１８によりドレンの強制排水が３回以上行われたか否かでＳＴＥＰ１９へ進むかＳＴＥＰ１へ進むかを判断しているが、ＳＴＥＰ１８によるドレンの強制排水の判断回数はこれに限るものではなく例えばドレンの強制排水が５回行われか否かでＳＴＥＰ１９へ進むかＳＴＥＰ１へ進むかを判断してもよい。
【００４１】
ＳＴＥＰ１９では、更に、出力指示値の変更に基づいてドレン排水管１６の洗浄が必要であるか否かを判断する。即ち、ＳＴＥＰ１９において、今回の出力指示値と過去３回の出力指示値の平均との差が５（％）以上であれば、出力指示値が増加した原因がドレン排水管１６の詰まりによることも考えられるので、ＳＴＥＰ２０へ進む。今回の出力指示値と過去３回の出力指示値の平均との差が５（％）以上でないときには、排水ポンプ１７の出力が安定しているので、図４のＳＴＥＰ１へ戻る。
【００４２】
ＳＴＥＰ２０へ進むと、給水弁２３が開弁（ＯＮ）され、給水管２２からドレンタンク１４へ給水が開始される。そして、ＳＴＥＰ２１で高水位センサ２０がＯＮとなったとき、ＳＴＥＰ２２で給水弁２３を閉弁（ＯＦＦ）し、ＳＴＥＰ２３で排水ポンプ１７を作動させる。これによりドレンタンク１４に溜められた水（ドレンではなく水道水等）がドレン排水管１６から強制的に排出され、ドレン排水管１６を通過する水によりドレン排水管１６が洗浄される。これにより、本実施形態のように極めて細く比較的詰まりが生じ易いドレン導出管１９がドレン排水管１６の一部に設けられていても、ドレン排水管１６の詰まりを未然に防止することができる。
【００４３】
その後、ＳＴＥＰ２４で低水位センサ２１がＯＦＦとなれば、ドレンタンク１４からの洗浄のための排水が完了したとして、ＳＴＥＰ２５に進んで排水ポンプ１７を停止させる。そして、ＳＴＥＰ２６へ進んで変数Ｗをクリア（Ｗ＝０）し、ＳＴＥＰ１７の通過回数をリセットして図４のＳＴＥＰ１へ戻る。
【００４４】
更に、本実施形態においては、ドレン導出管１９に詰まりが発生したことを検出するための制御を行っている。ドレン導出管１９の詰まりは、高水位センサ２０がＯＮとなったときに排水ポンプ１７を作動させてドレンタンク１４からの正常時の排水所要時間（例えば８０秒）経過しても低水位センサ２１がＯＦＦにならなかったことで判断する事が可能である。しかし、本実施形態のように極めて細いドレン導出管１９（内径が２mm程度の管）を用いた場合には正常時の排水所要時間が極めて長い（約８０分）。このため、排水ポンプ１７を作動させて低水位センサ２１による排水の監視を行っている間に、ドレンタンク１４からドレンが溢れるおそれがある。
【００４５】
そこで、本実施形態においては、高水位センサ２０がＯＮとなったときに排水ポンプ１７を作動させて正常時に高水位センサ２０がＯＦＦとなるまでの水位低下時間（例えば２分）経過しても高水位センサ２０がＯＦＦにならなかったときにドレン導出管１９の詰まりを検出するようにしている。これによれば、低水位センサ２１がＯＦＦになるか否かを監視することなく比較的短時間で詰まりを検出することができ、ドレンタンク１４からのドレンが溢れを少量に抑えることができる。
【００４６】
なお、本実施形態においては、風呂追焚き装置に設けたドレン排水装置Ａについて説明したが、本発明のドレン排水装置は、潜熱を回収する潜熱熱交換器を備えるガス燃焼式の熱源機に設けることができ、例えば給湯器や温水暖房器に用いる他の熱源機においても採用できることは勿論である。
【符号の説明】
【００４７】
Ａ…ドレン排水装置、４…潜熱熱交換器、１４…ドレンタンク、１６…ドレン排水管、１７…排水ポンプ、２０…高水位センサ（水位検出手段）、２１…低水位センサ（水位検出手段）、２２…給水管、２４…排水制御手段、２５…ポンプ制御部（ポンプ制御手段）、２６…ポンプ出力変更部（ポンプ出力変更手段）、２８…記憶部（記憶手段）、２９…洗浄制御部（洗浄制御手段）。
【図１】
0005383401.tif 000002
【図２】
0005383401.tif 000003
【図３】
0005383401.tif 000004
【図４】
0005383401.tif 000005
【図５】
0005383401.tif 000006